(57)【要約】      （修正有）【課題】  ベランダ或いは集合住宅の屋外側の共通通路を使用勝手の良好な居住空間とする方法を提供する。【解決手段】  ベランダの内側と屋外側とを連通する開口部３の上縁材と下縁材のそれぞれにレールなどの案内材４Ａ，５Ａを設け、該案内材４Ａ，５Ａに、連結手段Ａによって互いに連結する、一対のルーバー６，６´などの目隠しパネルを、直列に並べて組付けることにより、プライバシーを守りつつベランダを有効に利用できるようにする。【選択図】  図１
2007063860.tif 000002
【特許請求の範囲】
【請求項１】
空間域内と屋外とを連通する開口部を構成する上縁材と下縁材のそれぞれに、レールなどの案内材を設け、該案内材に、連結手段によって互いに連結する、ルーバーなどの一対の目隠しパネルを、直列に並べて組付けた、ベランダ等の居住空間域装置。
【発明の詳細な説明】
【技術分野】
【０００１】
本発明は、ベランダ或いは集合住宅の屋外側の共通通路に見られる、建屋の屋外側に部屋に接して設けられた居住空間域装置に関するものである。
【背景技術】
【０００２】
具体例を挙げるまでもなく、ベランダ或いは集合住宅の屋外側に設置した居住者共用の共通通路は、該居住空間域として外部（屋外）と区画する手摺り或いは腰壁と庇などの上壁材との間に屋外とを連通する開口部を備え、該開口部を採光、通風或いは眺望用として用いるようにした構造になっている。
【発明の開示】
【発明が解決しようとする課題】
【０００３】
前記開口部は、採光、通風などの諸機能を期待するに好適ではあるが、該開口部は常時開放状態におかれるため、必要以上の採光が行われたり、屋外側からの視覚に曝され、これらに対する対処手段はない。
【０００４】
本発明は、斯様な常況を勘案し、使用勝手の良好なベランダ等の居住空間を提供すべく創案したものである。
【課題を解決するための手段】
【０００５】
空間域内と屋外とを連通する開口部を構成する上縁材と下縁材のそれぞれに、レールなどの案内材を設け、該案内材に、連結手段によって互いに連結する、ルーバーなどの一対の目隠しパネルを、直列に並べて組付けた構成としたものである。
【発明の効果】
【０００６】
本発明によれば、開口部の開口幅方向に沿って目隠しパネルを自在に移動させることができるから、開口部の自由な位置に一対の隠しパネルを連結状態或いは分離状態で配置することができ、従って、所謂プライバシーを守りつつ居住空間域を有効に利用することができる。しかも、目隠しパネルは直列にして連結するものであるから、移動操作を効率的に行うことができる。
【実施例】
【０００７】
図面は本発明に係るベランダ等の居住空間域装置の一実施例を示し、図１は一部の正面図、図２は図１のａ−ａ線断面図、図３は連結手段部の断面図、図４は図３のｂ−ｂ線断面図である。
【０００８】
図中、Ａは本発明に係るベランダ（請求項でいう居住空間域）を示し、ベランダＡは庇材１と腰壁２とで屋外と区画され、庇材１と腰壁２との間にベランダＡ内側と屋外とを連通する開口部３を備え、該開口部３を通じて採光や通気を行うようにしている。
【０００９】
この開口部３を構成する上縁材である前記庇材１の下縁には案内材４Ａを取付けて案内溝４を設け、下縁材である前記腰壁２の上縁にレール材５Ａを取付けてレール５を設け、前記案内溝４に上端部を係合し、レール５にローラを転動自在に載置するようにして一対のルーバー６，６´を前記案内材４Ａ，５Ａに沿って移動自在に案内材で成る案内溝４乃至レール５の適所位置に定置させて前記開口部３を部分的に閉塞するようにしてある。
【００１０】
ルーバー６，６´は前記レール５等に案内されて走行する方向に直列に並べて配したもので、框体６Ａ，６´Ａに羽根板６Ｂ，６´Ｂを多段にして横設して構成し、前記框体６Ａ，６´Ａの一方の縦框である突き合わせ、連結手段Ｂによって框７，７´において互いに連結して一体的に可動、定置するようにしてある。
【００１１】
各ルーバー６，６´の突き合わせ框７，７´は中空主体部７ａ，７´ａに屋内外方向一対の並ぶ一対のひれ部片７ｂ，７ｂ、７´ｂ，７´ｂを備え、該ひれ部片７ｂ，７ｂ、７´ｂ，７´ｂ間に前記羽根板６Ｂ，６´Ｂの一端を係合させ、前記中空主体部７ａ，７´ａの突き合わせ面（対向面）側に設けた縦溝８，８´の一方には係止片９、他方には受止片１０を設け、連結手段Ｂを構成する、これら係止片９と受止片１０が互いに係止することにより両ルーバー６，６´は前記の通り互いに連結状態になるようにしてある。
【００１２】
係止片９は、窓口を通じて前記中空主体部７ａ内に固定した装置基枠１１にコイルばね１２と共に収設した縦動材１３に鉤状にして突設したもので、装置基枠１２の底壁と縦動材１３の下端との間に介在する前記コイルばね１２によって縦動材１３が上方に付勢され、外力を負荷しないときは、該縦動材１３に一体となって上下方向の定位置を確保するように配置されている。
【００１３】
縦動材１３は、前記中空主体部７ａを通じて嵌入させた復帰レバー１４の組付け部片１４ａを接続し、前記中空主体部７ａの、ベランダＡとの対向面側（建屋側）に配した該復帰レバー１４によって、前記コイルばね１２の付勢に抗して降下するようにしてある（従って、係止片９が受止片１０より外れるようにしてある）。
【００１４】
前記受止片１０は、係止片９を突設した一方のルーバー６に対応する他の一方のルーバー６´の突き合わせ框７´に、係止片９のＬ字形とかみ合う逆Ｌ字形にして突設し、先部片１０ａが、一方のルーバー６側に設けた前記係止片９の先部片９ａと、両ルーバー６，６´の突き合わせ時に互いに衝接する位置にして設けたものである。
【００１５】
しかして、各ルーバー６，６´を開口部３の適所に位置させることによって該開口部３の開口状態を陽光や風の向きに対応させて変えるようにして用い、両ルーバー６，６´は、一方又は双方を接触方向に移動させると、一方のルーバー６の突き合わせ框７に装置した係止片９の先部片９ａが、他方のルーバー６´の突き合わせ框７´に設けた受止片１０の先部片１０ａに接触し、さらに、前記の移動操作を継続すると、受止片１０の先部片１０ａが係止片９の先部片９ａを相対的に押圧するため、係止片９側の先部片９ａは、コイルばね１２の付勢に抗して降下、すなわち、縦動部材１３と一体にした係止片９はコイルばね１２の付勢に抗して降下し、該先部片９ａが受止片１０の先部片１０ａより外れる位置まで降下し、この降下中、前記移動操作は継続中なので、先部片９ａ，１０ａ同士が互いに外れると同時に、係止片９が受止片１０の先部片１０ａの内（裏）側に前記コイルばね１２の付勢により係合して係止片９と受止片１０は係止し、両ルーバー６，６´の連結状態を得られ、該連結状態にして上下案内材４Ａ，５Ａに沿う開口部３内の移動を自由に行うことができるのである。
【００１６】
両ルーバー６，６´を互いに分離するには、一方のルーバー６の屋内面側に配装した復帰レバー１４によってコイルばね１２の付勢に抗して縦動材１３を押し下げて係止片９を受止片１０との係止位置から下方に移動させ、前記の押し下げ状態を保持したまま、一方のルーバー６に対して他方のルーバー６´を離脱方向に移動させることによって行われ、適宜の離脱位置で、復帰レバー１４から指先を離すと、コイルばね１２の付勢によって係止片９は原位置に復帰し、再び、同様の操作を繰り返すことによって両ルーバー６，６´連結状態を得ることができるのである。
【００１７】
なお、実施例は、目隠しパネルとしてルーバーを用いたが、要は目隠しとして機能し、かつ、案内溝４乃至レール５に案内されて移動し得るパネル体であれば足り、実施例のようなルーバー６，６´を用いる必要はない。
【００１８】
また、目隠しパネル（実施例のルーバー６，６´）には規制金具を装置し、該規制金具のロッド棒開口部３の構成材（実施例では、案内溝４やレール５を構成する案内材）側の適所に設けた受穴に係合させて、該目隠しパネルの移動を規制するようにしても良い。図示、１８は前記規制金具を示す。
【００１９】
案内材はレール５等実施例の形状・構造に限定する必要はない。
【図面の簡単な説明】
【００２０】
【図１】一部の正面図。
【図２】図１のａ−ａ線断面図。
【図３】連結手段部の断面図。
【図４】図３のｂ−ｂ線断面図。
【符号の説明】
【００２１】
３          開口部
４Ａ        上案内材
５Ａ        下案内材
６，６´    ルーバー
Ｂ          連結手段
【図１】
2007063860.tif 000003
【図２】
2007063860.tif 000004
【図３】
2007063860.tif 000005
【図４】
2007063860.tif 000006